(57)【要約】【課題】ネジ止め個所を少なくすること。【解決手段】ケース１４Ａ・１４Ｈ間の固定と電磁弁４０のケース１４内への固定を、共通の手段４９９Ｂにて行う。【選択図】  図７
2004251015.tif 000002
【特許請求の範囲】
【請求項１】
便器の後部上側に固定され且つ便器幅方向に延在するケース内に、電磁弁と、ノズルとを設け、前記電磁弁を介して温水タンク内に水圧が供給されると、前記温水タンクから押し出された温水が前記便器内に変移した前記ノズルから噴射されるようにしてなる温水洗浄便座装置において、前記ケース間の固定と前記電磁弁の前記ケース内への固定を、共通の手段にて行ったことを特徴とする温水洗浄便座装置。
【発明の詳細な説明】
【０００１】
【発明の属する技術分野】
本発明は、温水洗浄便座装置に関する。
【０００２】
【従来の技術】
周知のように、温水洗浄便座においては、便器の後部上側に固定され且つ便器幅方向に延在するケース内に、電磁弁と、ヒータにより加熱された温水が定温にて貯溜される温水タンクと、ノズルとを設けられており、前記電磁弁を介して前記温水タンク内に水圧が供給されると、前記温水タンクから押し出された温水が前記便器内に変移した前記ノズルから噴射されるようになっている。しかして、電磁弁のケース内への固定は、複数のネジにてなされていた（例えば特許文献１参照）。
【０００３】
【特許文献１】
特開平９−６００９２号公報（第１〜４頁、第１〜３図）
【０００４】
【発明が解決しようとする課題】
上記した従来の温水洗浄便座装置においては、電磁弁のケース内への固定は、複数のネジにてなされているが、ケース内においては、他の部材の固定を多数のネジを用いて行わねばならず、ネジの低減が要望されていた。
【０００５】
それ故に、本発明は、かような要望に応えることが出来る温水洗浄便座装置を提供することを、技術的課題とする。
【０００６】
【課題を解決するための手段】
上記した課題を解決するために講じた技術的手段は、便器の後部上側に固定され且つ便器幅方向に延在するケース内に、電磁弁と、ノズルとを設け、前記電磁弁を介して温水タンク内に水圧が供給されると、前記温水タンクから押し出された温水が前記便器内に変移した前記ノズルから噴射されるようにしてなる温水洗浄便座装置において、前記ケース間の固定と前記電磁弁の前記ケース内への固定を、共通の手段にて行ったことである。
【０００７】
【発明の実施の形態】
図１〜図８に依拠して、本発明にかかる温水洗浄便座装置の一実施形態について説明する。
【０００８】
温水洗浄便座装置１０は、便器１２の後部上面に固定される本体部１４Ａ及び本体部１４Ａの一端部から前方に延在する袖部１４Ｂからなるケース１４を備える。ケース１４の袖部１４Ｂ内には、第１制御機構２０が配設されており、また、ケース１４の本体部１４Ａ内には、第２制御機構３０、電磁弁４０、ヒータ５２により加熱された温水を貯溜する温水タンク５０及びノズル機構６０が配設されている。
【０００９】
ケース１４の本体部１４Ａの内部の一方側に配置される電磁弁４０は、ホース７２を介して給水源７０と、ホース４４を介して温水タンク５０と、夫々、連結されており、第１制御機構２０の作用により、電磁弁４０が開かれると、温水タンク５０内の温水を、切換弁６６を介して肛門洗浄用ノズル６２（ビデ洗浄ノズル６４）に供給され、肛門洗浄用ノズル６２（ビデ洗浄ノズル６４）を便器１２内に伸長し、この温水が、周知のように、肛門洗浄用ノズル６２（ビデ洗浄ノズル６４）から噴射されて、使用者の肛門（ビデ）を洗浄する。何れのノズルに温水が供給されるかは、切換弁６６の作用位置による。
【００１０】
温水タンク５０は、ケース１４の本体部１４Ａの内部の他方側に配置される。温水タンク５０内の水はヒータ５２により加熱される。水温は、温度センサ５４により常時、検知されており、当該温度が信号として、第２制御機構３０のＣＰＵ３２に送られる。ＣＰＵ３２は水温が所定値に達したら、トライアック３４を断続させて電源９０からヒータ５２への通電制御をなし、常時、水温を所定値に維持するようになっている。
【００１１】
上記したように、温水タンク５０は、ホース４４、電磁弁４０及びホース７２を介して給水源７０に流体的に連結されている。給水源７０と電磁弁４０とを連結するホース７２は、一端部が給水源７０に、他端部が、後述するように、電磁弁４０のボディ４１０の給水口４１４に接続されている（図６・図７）。
【００１２】
温水タンク５０の右側にはドレインポート（図示略）が形成されており、このドレインポートは、弁（図示略）付きの逆Ｌ型のドレインパイプ１１０（図２に示される）の一方端部が接続されている。このドレインパイプ１１０は、ケース１４の本体部１４Ａの底壁から床面に向かって延出する。ドレインパイプ１１０の他端部は、床面から所定の高さに位置しており、その下にバケツ（図示略）を配置できるようになっている。ドレインパイプ１１０の他端部の下にバケツを配置したのち、弁を開けば、温水タンク５０内の水が排出される。しかして、ドレインパイプ１１０の他端部はケース１４の本体部１４Ａの右側に位置しており、ケース１４の本体部１４Ａの左側に位置する給水用のパイプ７２とは反対側に設けたので、水抜きの際に、ドレインドレインパイプ１１０の他端部の下側に配置されるバケツが給水用のパイプ７２や電源コード（図示略）と干渉することがなく、水抜きが容易に行える。
【００１３】
温水タンク５０は、２つの部分５０Ａ・５０Ｂの開口フランジ部５０Ｘ・５０Ｙを相互に溶着して形成されるが、２つの部分５０Ａ・５０Ｂの接合部つまり相互溶着された開口フランジ部５０Ｘ・５０Ｙにより囲まれる面が鉛直方向に延在している。かような構成によりもたらされるメリットは、次の通りである。すなわち、温水タンク５０を構成する部分５０Ａ（５０Ｂ）は、型成型されるので、開口フランジ部５０Ｘ（５０Ｙ）全体を投影した場合（開口フランジ部５０Ｘ（５０Ｙ）により囲まれる部位を直角方向から投影した場合）、開口フランジ部５０Ｘ（５０Ｙ）において、投影面積が最大となる。従って、部分５０Ａ（５０Ｂ）の形状を、ケース１４の内部形状やケース１４内部に収容される部品の形状・配置態様に応じて、縮減方向に変更して、デッドスペースを最小限にすることができる。
【００１４】
図４及び図５において特に明瞭に示されるように、ケース１４にはランド１４Ｌが一体形成されている。また、温水タンク５０の前方の部分５０Ａには、突出部５０ＦＰが一体形成されており、この突出部５０Ｐは、ネジ９０により、固定される。しかして、この固定の前に、温水タンク５０の後方の部分５０Ｂから後方に突出する突出部５０ＲＰを、ケース１４の後方リブ１４Ｒに形成された穴１４Ｑ内に遊嵌することによる、位置決めがなされる。
【００１５】
図４に示されるように、温水タンク５０がケース１４に位置決め・固定されたとき、温水タンク５０の後方の部分５０Ｂとの間には間隙Ｇが画成されている。温水タンク５０内に弁機構５２を介して水圧が供給されたとき、温水タンク５０は膨張するが、この膨張は、間隙Ｇを埋めて、ケース１４の後方リブ１４Ｒで受けられるようになっている。そして、水圧供給の停止により、温水タンク５０は、元の形状に復帰する。
【００１６】
かように、温水タンク５０は、唯一の拘束点しか持たない（複数の拘束点を持たない）ため、また、温水タンク内に水圧供給が開始・停止されたときの伸縮が可能となるため、拘束点における局所的応力が発生せず、温水タンク５０の耐久性が担保される。
【００１７】
図６及び図７に示されるように、電磁弁４０は、樹脂製のボディ４１０を備える。このボディ４１０内には、ケース１４の本体部１４Ａと平行に延在する軸芯を持つ通路４１２が形成される。ボディ４１０には、また、通路４１２と連通し且つホース７２が連結されて水圧が供給される給水口４１４が形成される。通路４１２の一方側の開口からは、キャップ４２０と一体のストレーナ４２２が挿脱衣自在に嵌入されている。ストレーナ４２２は、給水口４１４の軸芯と交叉する。つまり、ホース７２から給水口４１４に圧送された水は、ストレーナ４２２を通過して、通路４１２の他方側に作動部４３０に至る。水はストレーナ４２２を通過する過程で、異物等がろ過される。しかして、作動部４３０は、周知の電磁弁機構として構成されており、ストレーナ４２２を介して、給水口４１４と温水タンク５０との間の連通を確立・遮断する。
【００１８】
ストレーナ４２２と一体のキャップ４２０は、ストレーナ４２２の通路４１２への嵌着に伴い、通路４１２の一方側の開口を封止する。しかして、キャップ４２０は、ケース１４の袖部１４Ｂの一方側壁１４ＢＬから少しだけ外部に突出しており、袖部１４Ｂの外からキャップ４２０を操作することにより、ストレーナ４２２の通路４１２への挿脱を外部から行えるようになっている。つまり、電磁弁４０のボディ４１０の通路４１２へのストレーナ４２２の挿脱を、便器２の幅方向に延在する通路４１２の一方側の開口から容易に行うことができる。
【００１９】
電磁弁４０のボディ４１０の給水口４１４は、ケース１４のベースプレート１４Ｈを、袖部１４Ｂ側において、下方向に鉛直方向に突出している、袖部１４Ｂの外側において、ホース７２と接続される。
【００２０】
図４及び図７において特に明瞭に示されるように、電磁弁４０の樹脂製のボディ４１０は、段違いの１対のフランジ４１０Ａ・４１０Ｂを備える。しかして、フランジ４１０Ａは、ネジ４９９Ａにより、ケースの本体部１４Ａの内部にて、ベースプレート１４Ｈに突設されたランド１４Ｍに止着される。また、フランジ４１０Ｂは、ケースの本体部１４Ａの内部において、ケースの本体部１４Ａの後方の段付部１４Ｓとベースプレート１４Ｈに突設されたランド１４Ｎの間に位置される。そして、ネジ４９９Ｂにより、フランジ４１０Ｂはベースプレート１４Ｈに突設されたランド１４Ｎに直接、ケースの本体部１４Ａの後方の段付部１４Ｓはフランジ４１０Ｂを介してランド１４Ｎに間接的に、夫々、止着される。かように、ケースの本体部１４Ａをベースプレート１４Ｈに固定するネジを電磁弁４０のベースプレート１４Ｈへの固定にも併用することにより、ネジ止め個所及び作業工数の低減を図ることが出来る。
【００２１】
図４に示されるように、温水洗浄装置１０には、温風乾燥装置９００が併設されており、この温風乾燥装置９００は、温風を、温水洗浄の後、被洗浄部位の周囲に付着した水滴を乾燥する。
【００２２】
図８に依拠して、温風乾燥装置９００を詳細に説明する。温風乾燥装置９００は樹脂製のダクト９１０を備える。このダクト９１０は、ノズル６２と略平行に配設される本体部９１２と本体部９１２の後方からケース１４の長手方向に一体屈曲された根元部９１４とからなる。根元部９１４は開放されており、この開放部にはファンユニット９２０が装架されている。しかしてファンユニット９２０は、モータ９２２及びこのモータ９２２で回転駆動されるファン９２４とから構成される。また、本体部９１２の先端開口部９１６は、人体臀部（被洗浄部位たる肛門の近傍）を照準しており、シャッター９５０が装着されている。
【００２３】
ダクト９１０の本体部９１２の後方内部には、ヒータ装置９４０が配設されている。ヒータ装置９４０の後方面、ファン９２４の前方部及び本体部９１２と根元部９１４の境界の外郭Ｒ部９１０Ｒで画成される空間９１０Ｓは、水平断面的には、扇型を形成する。この空間９１０Ｓ内には、ファン９２４とヒータ装置９４０との間に位置するように、整流フィン９６０が設けられている。この整流フィン９６０の曲率は、外郭Ｒ部９１０Ｒの曲率と略同一に設定されており、ファンユニット９２０からヒータ装置９４０へ供給される空気の流れの通路となる空間９１０Ｓを径方向に内外２分割して、空気が乱れることなく、ヒータ装置９４０へ直角に流入するようになっている。
【００２４】
ヒータ装置９４０は、周知のように、内部の発熱体（図示略）が所定温度にまで加熱され、周囲の空気を暖める。この空気が、ファンユニット９２０からヒータ装置９４０へ供給される空気により、温風として押し出されて、シャッター９５０を押し上げて、先端開口部９１６から臀部に吹き付けられ、臀部の乾燥に供される。
【００２５】
しかして、先端開口部９１６から吹き出される温風が臀部に確実に届くように、一対の整流フィン９８０・９９０が、先端開口部９１６の直前部に配設されている。すなわち、整流フィン９８０は先端開口部９１６を左右方向に略２等分するように且つ人体臀部の中心に位置する肛門を照準するように配設されている。また、整流フィン９８０は、整流フィン９８０により画成された先端開口部９１６の右側を更に略２等分するように且つ人体臀部の中心に位置する肛門を照準するように配設されている。つまり、一対の整流フィン９８０・９９０が、先端開口部９１６を、左部９１６Ｌ、中央部９１６Ｃ及び右部９１６Ｒに区画しており、左部９１６Ｌの開口面積は、概ね、中央部９１６Ｃ及び右部９１６Ｒの２倍となっている。また、中央部９１６Ｃ及び右部９１６Ｒの通過温風量を均等ならしめるために、整流フィン９８０の長さは、整流フィン９９０の長さの、略２倍となっている。
【００２６】
尚、ファンユニット９２０のモータ９２２及びヒータ装置９４０は、図示されないＡＣ電源から、母線を共通とする２線コード９３０を介して、電圧が印加されるようになっている。
【００２７】
以上、本発明の実施の形態について説明したが、本発明は上述した実施の形態に限定される意図はなく、本発明の趣旨に沿った形態の温水洗浄便座装置であれば、どのようなものでもよい。
【００２８】
【発明の効果】
請求項１の発明によれば、便器の後部上側に固定され且つ便器幅方向に延在するケース内に、電磁弁と、ノズルとを設け、前記電磁弁を介して温水タンク内に水圧が供給されると、前記温水タンクから押し出された温水が前記便器内に変移した前記ノズルから噴射されるようにしてなる温水洗浄便座装置において、前記ケース間の固定と前記電磁弁の前記ケース内への固定を、共通の手段にて行ったことので、固定手段の個数を低減でき、実用上、多大の効果を奏する。
【図面の簡単な説明】
【図１】本発明にかかる温水洗浄便座装置の一実施態様の説明用の一方側から見た斜視図である。
【図２】図１の温水洗浄便座装置の他方側から見た斜視図である。
【図３】図１の温水洗浄便座装置のブロック図である。
【図４】図１の温水洗浄便座装置のケースの内部を示す一方側から見た、電気配線を捨象した斜視図である。
【図５】図４のＡ−Ａ線に沿う拡大断面図である。
【図６】電磁弁のボディの一部軸方向断面図である。
【図７】図４のＢ−Ｂ線に沿う拡大断面図である。
【図８】温風乾燥装置の説明用断面図である。
【符号の説明】
１２・・・便器
１４・・・ケース
４０・・・電磁弁
４２・・・給水部
４４・・・ホース
５０・・・温水タンク
５２・・・ヒータ
１００・・ドレインポート（ドレイン部）
１１０・・ドレイン管（ドレイン部）
４１０・・ボディ
４１２・・通路
９２４・・ファン
９４０・・ヒータ装置
９６０・・整流フィン
【図１】
2004251015.tif 000003
【図２】
2004251015.tif 000004
【図３】
2004251015.tif 000005
【図４】
2004251015.tif 000006
【図５】
2004251015.tif 000007
【図６】
2004251015.tif 000008
【図７】
2004251015.tif 000009
【図８】
2004251015.tif 000010